(57)【特許請求の範囲】
【請求項１】
インクを吐出する複数のノズルが形成されたノズル形成面を有し、そのノズル形成面と対向する位置に搬送される記録媒体に対して前記ノズルからインクを吐出して画像を記録する記録ヘッドと、前記記録ヘッドのノズル形成面に当接して前記ノズル形成面を払拭するワイパブレードとを備えたインクジェット記録装置において、
前記ノズル形成面と交差する前記記録ヘッドの側面に形成され、前記ワイパブレードまたは前記ノズル形成面に付着したインクを、前記側面に導入、保持する導入部であって、前記側面のうち前記ノズル形成面から所定間隔を空けた位置から前記ノズル形成面とは離間する方向に延びる溝、または、前記側面のうち前記ノズル形成面から所定間隔を空けた位置から前記ノズル形成面とは離間する方向に延び互いに所定間隔を空けて並列に並ぶ複数の凸部と、隣り合う前記複数の凸部に挟まれて形成される凹部とによって構成されている導入部を備え、
主走査方向と直交する副走査方向における前記ワイパブレードの幅は、副走査方向における前記ノズル形成面の幅よりも長く構成されており、
前記ワイパブレードは、副走査方向における前記ノズル形成面の幅の全部に当接しつつ、その端部が前記側面のうち前記副走査方向と交差する側面側に突出するように設置され、
前記溝、または、前記凸部と前記凹部とは、前記側面のうち前記副走査方向と交差する側面において、並列に複数並んで構成されていることを特徴とするインクジェット記録装置。
【請求項２】
前記溝、または、前記凹部と前記突部とは、前記側面自体によって構成されていることを特徴とする請求項１に記載のインクジェット記録装置。
【請求項３】
前記溝、または、前記凹部は、前記ノズル形成面に前記ワイパブレードが当接した状態で前記記録ヘッドが前記主走査方向に移動する方向に沿って次第に、前記ノズル形成面から離間する方向の距離が長くなるように構成されていることを特徴とする請求項１又は２に記載のインクジェット記録装置。
【請求項４】
前記溝、または、前記凹部は、前記ノズル形成面に前記ワイパブレードが当接した状態で前記記録ヘッドが前記主走査方向に移動する方向に沿って次第に、隣合う溝、または、隣合う凹部の間隔が狭くなるように構成されていることを特徴とする請求項１から３のいずれかに記載のインクジェット記録装置。
【発明の詳細な説明】
【技術分野】
【０００１】
本発明は、インクジェット記録装置および記録ヘッドに関するものである。
【背景技術】
【０００２】
従来より、インクを吐出する複数のノズルが形成されたノズル形成面と対向する位置に搬送される記録媒体に対し、ノズルからインクを吐出して画像を記録する記録ヘッドが知られている。また、記録ヘッドと、その記録ヘッドのノズル形成面に当接し、ノズル形成面に付着したインクを払拭するワイパブレードとを搭載したインクジェット記録装置も知られている。
【０００３】
このような記録ヘッドやインクジェット記録装置に関し、次の特許文献１には、ノズル面６ａに付着したインクＷをワイパ部材８６によって払拭し、その払拭したインクＷを、ノズル面６ａの幅方向（主走査方向）に沿って延びる溝１８によって保持する技術が開示されている。これにより、ワイパ部材８６によって払拭したインクＷが装置内に垂れるのを防止することができるのである。
【特許文献１】特開２００３−１８３４号公報（段落第「００４３」、図６（ｃ）等）
【発明の開示】
【発明が解決しようとする課題】
【０００４】
しかしながら、上述した特許文献１に開示されている技術では、インクＷを保持する溝１８は、ノズル面６ａの幅方向（主走査方向）に沿って延びるように構成されているので、ノズル面６ａを有するインクジェットヘッド６の幅が増大するという問題点があった。
【０００５】
本発明は上述した問題点を解決するためになされたものであり、記録ヘッドの幅を極力増大させることなく、ノズル形成面やワイパブレードに付着したインクが装置内に垂れるのを抑制することができるインクジェット記録装置および記録ヘッドを提供することを目的としている。
【課題を解決するための手段】
【０００６】
この目的を達成するために、請求項１記載のインクジェット記録装置は、インクを吐出する複数のノズルが形成されたノズル形成面を有し、そのノズル形成面と対向する位置に搬送される記録媒体に対して前記ノズルからインクを吐出して画像を記録する記録ヘッドと、前記記録ヘッドのノズル形成面に当接して前記ノズル形成面を払拭するワイパブレードとを備えたものであって、前記ノズル形成面と交差する前記記録ヘッドの側面に形成され、前記ワイパブレードまたは前記ノズル形成面に付着したインクを、前記側面に導入、保持する導入部であって、前記側面のうち前記ノズル形成面から所定間隔を空けた位置から前記ノズル形成面とは離間する方向に延びる溝、または、前記側面のうち前記ノズル形成面から所定間隔を空けた位置から前記ノズル形成面とは離間する方向に延び互いに所定間隔を空けて並列に並ぶ複数の凸部と、隣り合う前記複数の凸部に挟まれて形成される凹部とによって構成されている導入部を備え、主走査方向と直交する副走査方向における前記ワイパブレードの幅は、副走査方向における前記ノズル形成面の幅よりも長く構成されており、前記ワイパブレードは、副走査方向における前記ノズル形成面の幅の全部に当接しつつ、その端部が前記側面のうち前記副走査方向と交差する側面側に突出するように設置され、前記溝、または、前記凸部と前記凹部とは、前記側面のうち前記副走査方向と交差する側面において、並列に複数並んで構成されている。
【０００７】
請求項２記載のインクジェット記録装置は、請求項１に記載のインクジェット記録装置において、前記溝、または、前記凹部と前記突部とは、前記側面自体によって構成されている。
【０００８】
請求項３記載のインクジェット記録装置は、請求項１又は２に記載のインクジェット記録装置において、前記溝、または、前記凹部は、前記ノズル形成面に前記ワイパブレードが当接した状態で前記記録ヘッドが前記主走査方向に移動する方向に沿って次第に、前記ノズル形成面から離間する方向の距離が長くなるように構成されている。
【０００９】
請求項４記載のインクジェット記録装置は、請求項１から３のいずれかに記載のインクジェット記録装置において、前記溝、または、前記凹部は、前記ノズル形成面に前記ワイパブレードが当接した状態で前記記録ヘッドが前記主走査方向に移動する方向に沿って次第に、隣合う溝、または、隣合う凹部の間隔が狭くなるように構成されている。
【００１０】
【００１１】
【００１２】
【００１３】
【００１４】
【００１５】
【発明の効果】
【００１６】
請求項１記載のインクジェット記録装置によれば、記録ヘッドのノズル形成面をワイパブレードで払拭すると、ノズル形成面に付着したインクはワイパブレードを介してまたは直接に、ノズル形成面と交差する記録ヘッドの側面に形成されている導入部によって記録ヘッドの側面に導入、保持される。よって、ノズル形成面やワイパブレードに付着したインクが装置内に垂れるのが抑制される。また、導入部はノズル形成面と交差する記録ヘッドの側面に形成されているので、記録ヘッドに導入部を形成したとしても、記録ヘッドの幅が増大するのが抑制される。従って、記録ヘッドの幅を極力増大させることなく、ノズル形成面やワイパブレードに付着したインクが装置内に垂れるのを抑制することができるという効果がある。
また、ノズル形成面やワイパブレードに付着したインクは、記録ヘッドの側面のうち、ノズル形成面から所定間隔を空けた位置からノズル形成面とは離間する方向に延びる溝、または、記録ヘッドの側面のノズル形成面から所定間隔を空けた位置からノズル形成面とは離間する方向に延び互いに所定間隔を空けて並列に並ぶ隣合う凸部に挟まれて形成される凹部、による毛細管作用により記録ヘッドの側面に導入、保持される。よって、簡単な構成で導入部を形成することができるという効果がある。
また、溝、または、隣合う凸部によって形成される凹部は、並列に複数並んで構成されているので、記録ヘッドの側面に導入、保持できるインク量が増大し、一層確実に記録ヘッドの側面にインクを導入、保持することができるという効果がある。
更に、ワイパブレードは、副走査方向におけるノズル形成面の幅の全部に当接しつつ、その端部が副走査方向における記録ヘッドの側面側に突出するように設置されているので、ノズル形成面に付着したインクをワイパブレードを介して記録ヘッドの側面に一層確実に導入、保持させることができるという効果がある。
【００１７】
【００１８】
【００１９】
【００２０】
【００２１】
【００２２】
【００２３】
【００２４】
【００２５】
【発明を実施するための最良の形態】
【００２６】
図１は、本発明のインクジェット記録装置の一実施形態に係る複合機１０の外観斜視図である。尚、本発明の記録ヘッドの一実施形態に係る記録ヘッド３９（図２参照）は、この複合機１０に搭載されている。
【００２７】
この複合機１０は、下部にプリンタ部１１を、上部にスキャナ部１２を一体的に備えた多機能装置（ＭＦＤ：Multi  Function  Device）であり、プリンタ機能、スキャナ機能、コピー機能、ファクシミリ機能を有する。この複合機１０のうちプリンタ部１１が本発明に係るインクジェット記録装置に相当する。この複合機１０において、プリンタ機能以外の機能は、任意のものであって省略されていてもよい。すなわち、本発明は、スキャナ部１２がなく、スキャナ機能やコピー機能を有しない単機能のプリンタとして実施されてもよい。
【００２８】
複合機１０は、主に図示されていないパーソナルコンピュータと接続され、このパーソナルコンピュータから送信される画像データや文書データを含む印刷データに基づいて、記録媒体の一例である記録用紙に画像や文書が記録される。ただし、複合機１０の使用態様はかかる態様に限定されるものではなく、複合機１０がデジタルカメラ等の外部機器と接続され、デジタルカメラから出力される画像データが記録用紙に記録されたり、メモリカード等の各種記憶媒体が複合機１０に装填され、この記憶媒体に記憶された画像データ等が記録用紙に記録されることも可能である。なお、本明細書において開示される複合機１０の構成は、本発明に係るインクジェット記録装置の一例であり、本発明の要旨を変更しない範囲で構成が適宜変更され得るものであることは当然である。
【００２９】
プリンタ部１１は、正面に開口１３が形成されており、この開口１３から一部が露呈するようにして給紙トレイ１４及び排紙トレイ１５が上下２段に設けられている。給紙トレイ１４は、記録用紙を貯蔵するためのものである。この給紙トレイ１４に収容された記録用紙は、プリンタ部１１の内部へ給送され、所望の画像が記録された後に排紙トレイ１５へ排出されるようになっている。
【００３０】
複合機１０の正面上部に操作パネル２０が設けられている。この操作パネル２０は、プリンタ部１１やスキャナ部１２を操作するための各種操作ボタンや液晶表示部を備えている。複合機１０は、この操作パネル２０からの操作指示に基づいて動作する。また、複合機１０がパーソナルコンピュータに接続されている場合には、当該複合機１０は、パーソナルコンピュータからプリンタドライバ又はスキャナドライバを介して送信される指示に基づいても動作する。
【００３１】
さらに、複合機１０の正面にスロット部２１が設けられている。記憶媒体である各種小型メモリカードは、このスロット部２１に装填されるようになっている。操作パネル２０からの入力に基づいて、スロット部２１に装填された小型メモリカードに記録された画像データが読み出され、この画像データに関する情報が液晶表示部に表示され、あるいは、任意の画像がプリンタ部１１により記録用紙に記録される。
【００３２】
図２は、プリンタ部１１の主要な構成を示す斜視図である。プリンタ部１１には、主に、給紙トレイ１４と、給紙トレイ１４の上方に設置されている給紙ローラ２５と、給紙トレイ１４の奥方から立設し、給紙ローラ２５から給紙される記録用紙を搬送する搬送経路を形成する搬送ガイド体５０と、搬送ガイド体５０の下流側であって、搬送ローラ６０と排紙ローラ６２との間に往復移動可能に設置されている記録ヘッド３９と、記録ヘッド３９のインク吐出面と対向配置されているプラテン４２と、プラテン４２と隣接する位置であってキャリッジ３８の走査範囲内に設置されているメンテナンスユニット４８とが設けられている。
【００３３】
給紙トレイ１４は、上面が開放された略箱状に形成されており、その内部に記録用紙が積載収納される。また、給紙トレイ１４の側壁には、排紙トレイ１５（図１参照）を支持する支持部１４ａが形成されており、排紙トレイ１５は、支持部１４ａ上にスライド可能に支持されている。
【００３４】
給紙ローラ２５は、給紙トレイ１４に積載されている記録用紙に当接した状態で回転し、記録用紙を搬送ガイド体５０に形成されている搬送経路を経由して搬送ローラ６０に給紙する。給紙ローラ２５はアーム５１の一端に回転可能に軸支されている。アーム５１は、シャフト５２に対して振り子状に回動可能に支持されており、給紙トレイ１４に積載されている記録用紙の積載量に応じて、アーム５１と記録用紙とのなす角度が変わるように構成されている。また、アーム５１の内部には、図示しない複数個の歯車が直線状に並べて設置されており、この歯車を介して給紙ローラ２５が回転する。
【００３５】
搬送ガイド体５０は、給紙ローラ２５から給紙された記録用紙を搬送ローラ６０までＵ字状に搬送する搬送経路を形成するものである。搬送ローラ６０には、搬送ローラ６０に追従して回転する従動ローラ（図示せず）が対向配置されており、搬送経路を経由して搬送された記録用紙は、この搬送ローラ６０と従動ローラとに挟持され、記録ヘッド３９とプラテン４２との間に搬送される。
【００３６】
記録ヘッド３９は、プラテン４２と対向する面に、インクを吐出するノズルが形成されたノズル形成面を有し、そのノズルからプラテン４２に支持されてノズル形成面と対向する位置に搬送される記録媒体に対してインク滴を吐出して画像を形成するものである。尚、記録ヘッド３９には、複合機１０に着脱自在に設置されるインクカートリッジ（図示せず）からシアン（Ｃ）・マゼンタ（Ｍ）・イエロー（Ｙ）・ブラック（Ｂｋ）の各色のインクが供給される。
【００３７】
また、記録ヘッド３９は、キャリッジ３８に搭載され、主走査方向に往復移動可能に構成されている。キャリッジ３８は、プラテン４２に対向する領域と、メンテナンスユニット４８に対向する領域との範囲に亘って往復移動可能に構成されており、プラテン４２と対向する領域で記録ヘッド３９から記録媒体に対してインク滴を吐出して記録を実行し、メンテナンスユニット４８と対向する領域で記録ヘッド３９のメンテナンスを実行する。
【００３８】
プラテン４２は、記録ヘッド３９の下方に対向配置されており、搬送ローラ６０から搬送される記録用紙を記録ヘッド３９とは反対側から支持する。インクが供給された記録ヘッド３９は、往復移動しながらインクを微小なインク滴としてプラテン４２側に吐出し、プラテン４２上に搬送される記録用紙に対して画像を形成する。
【００３９】
プラテン４２を搬送ローラ６０との間に挟んで設置されている排紙ローラ６２には、排紙ローラ６２に追従して回転する従動ローラ（図示せず）が対向配置されており、記録ヘッド３９とプラテン４２との間を経由して搬送される記録済みの記録用紙は、この排紙ローラ６０と従動ローラとに挟持され、排紙トレイ１５（図１参照）に排紙される。
【００４０】
メンテナンスユニット４８は、記録ヘッド３９のノズル形成面に付着したインクを弾性を有するワイパブレードで払拭するワイプ処理を実行するワイプ機構、記録ヘッド３９のノズル形成面を密封した状態でノズル形成面に形成されているノズルからインクを吸引するパージ処理を実行するパージ機構、廃インクトレイ等が設けられており、このメンテナンスユニット４８により、記録ヘッド３９内の気泡や混色インクの除去等のメンテナンスが行われる。
【００４１】
また、メンテナンスユニット４８にはキャリッジレバー２７が設けられており、キャリッジ３８がメンテナンスユニット４８と対向する位置に移動すると、このキャリッジレバー２７が押し倒され、図示しないＬＦモータの動力がメンテナンスユニット４８に伝達される。
【００４２】
次に、図３を参照して、上述したメンテナンスユニット４８に含まれるワイプ機構４０について説明する。図３は、ワイプ機構４０の断面図であり、特に、（ａ）はワイパブレード４１がノズル形成面に当接している状態、（ｂ）はワイパブレード４１がノズル形成面から離間している状態を示している。
【００４３】
ワイプ機構４０は、メンテナンスユニット４８の一部として設けられており、キャリッジ３８に搭載された記録ヘッド３９がメンテナンスユニット４８と対向する領域に移動した場合に、その記録ヘッド３９と対向する位置に設置されている。
【００４４】
ワイプ機構４０には、図３に示すように、弾性を有する板状のワイパブレード４１と、そのワイパブレード４１の一端を保持するワイパホルダ６５と、そのワイパホルダ６５の他端側を保持する回転体４３とが設けられている。
【００４５】
ワイパブレード４１は、回転体４３から記録ヘッド３９のノズル形成面に対して出没可能に設けられている。ワイパブレード４１は、記録ヘッド３９の下面の搬送方向長さに対応した長さのゴム製のブレードである。ワイパブレード４１が、回転体４３側から突出されることによりワイパブレード４１の先端部分が撓んだ状態で記録ヘッド３９のノズル形成面に当接される。記録ヘッド３９は、ワイパブレード４１が記録ヘッド３９のノズル形成面に当接した状態で、キャリッジ３８と共にスライド移動される。これにより、ノズル形成面に付着したインクがワイパブレード４１により払拭される。
【００４６】
ワイパホルダ６５は、後述する回転体４３の回転に伴って記録ヘッド３９のノズル形成面に対して出没可能に設置されており、このワイパホルダ６５が回転体４３からノズル形成面側に突出することで、ワイパホルダ６５に支持されているワイパブレード４１がノズル形成面に当接し、逆に、回転体４３側に没することでワイパブレード４１がノズル形成面から離間する。
【００４７】
回転体４３は、ワイパホルダ６５（ワイパブレード４１）を記録ヘッド３９のノズル形成面に対して出没させるためのものであり、記録ヘッド３９のノズル形成面との間にワイパホルダ６５とワイパブレード４１とを挟む位置に回転可能に設置されている。
【００４８】
回転体４３には、環状のカム溝４３ａが形成されており、このカム溝４３ａには、所定範囲に亘って溝の深さが第１深さである第１溝部（４３ａ１）と、溝の深さが第１深さよりも深い第２深さを有し、第１溝部（４３ａ１）の両端と連続するように形成される第２溝部（４３ａ２）とが形成されている。
【００４９】
よって、ワイパホルダ６５が第１溝部（４３ａ１）上に位置している場合には、ワイパホルダ６５が回転体４３からノズル形成面側に突出して、ワイパブレード４１がノズル形成面に当接し、ワイパホルダ６５が第２溝部（４３ａ２）上に位置している場合には、ワイパホルダ６５が回転体４３側に没して、ワイパブレード４１がノズル形成面から離間する。尚、ワイパホルダ６５は図示しないコイルバネによって回転体４３側に付勢されており、カム溝４３ａに従って出没し易くなるように構成されている。
【００５０】
次に、図４を参照して、この回転体４３を回転させる動力伝達機構について説明する。図４は、回転体４３を底面側から見た斜視図である。図４に示すように、回転体４３を回転させる動力伝達機構には、第１ギヤ４４と、その第１ギヤ４４と噛合する第２ギヤ４５と、その第２ギヤ４５と一端側が連結されているリンクバー４６と、そのリングバー４６の他端側と連結されている第３ギヤ４７とが設けられている。
【００５１】
この動力伝達機構によれば、キャリッジ３８がメンテナンスユニット４８と対向する位置に移動し、キャリッジレバー２７が押し倒されている状態で、動力源としてのＬＦモータを所定方向に駆動すると、その回転力が、図示しないギヤ機構を介して、第１ギヤ４４に伝達され、第１ギヤ４４が図４において反時計回りに回転する。すると、第２ギヤ４５とリンクバー４６とが図４において時計回りに回転し、第３ギヤ４７がパージ処理を実行する場合に使用するポンプを駆動するための第４ギヤ４９と噛合する。
【００５２】
一方、動力源としてのＬＦモータ７１を上述したのとは逆回転すると、第１ギヤ４４が、図４において時計回りに回転する。すると、第２ギヤ４５とリンクバー４６とが反時計回りに回転し、第３ギヤ４７が回転体４３の底面に形成されている第５ギヤ４３ｂと噛合し、回転体４３が回転駆動する。そして、この回転体４３が回転駆動すると、上述したように、回転体４３に形成されているカム溝４３ａに追従してワイパホルダ６５（ワイパブレード４１）が記録ヘッド３９のノズル形成面に対して出没する。
【００５３】
次に、図５および図６を参照して、上述したワイパブレード４１の先端部が当接するノズル形成面３９ａを有する第１実施形態における記録ヘッド３９について詳細に説明する。図５は、第１実施形態の記録ヘッド３９をノズル形成面３９ａ側から見た斜視図である。図６は、図５に示す矢印Ａ視方向から見た第１実施形態の記録ヘッド３９とワイパブレード４１とを示す側面図である。尚、図５，図６では、記録ヘッド３９が往復移動する方向を主走査方向、その主走査方向と直交する方向であって記録媒体が搬送される方向を副走査方向として図示している。
【００５４】
記録ヘッド３９は、略箱状に形成されており、インクを吐出する複数のノズルＮが形成されたノズル形成面３９ａと、そのノズル形成面３９ａの縁部からノズル形成面３９ａとは離間する方向（ノズル形成面３９ａと略直交する方向）に延びる側面３９ｂとが設けられている。
【００５５】
ノズル形成面３９ａは、搬送される記録媒体と対向し、ノズルＮからインクを吐出して搬送される記録媒体に画像を記録する。側面３９ｂには、ノズル形成面３９ａから所定間隔Ｄ１を空けた位置からノズル形成面３９ａとは離間する方向に延び、互いに所定間隔Ｄ２を空けて並列に並ぶ複数の凸部５０と、隣合う凸部５０に挟まれて形成される凹部５１とが形成されている。
【００５６】
一方、図６に示すように、副走査方向におけるワイパブレード４１の幅Ｗ１は、副走査方向におけるノズル形成面３９ａの幅Ｗ２よりも長く構成されている。また、ワイパブレード４１は、副走査方向におけるノズル形成面３９ａの幅Ｗ２の全部に当接しつつ、その端部が副走査方向における側面３９ｂ側に突出するように設置されている。
【００５７】
よって、ワイパブレード４１をノズル形成面３９ａに当接させ、ワイプ処理を実行すると、ワイパブレード４１によってノズル形成面３９ａの全面が払拭される。そして、ノズル形成面３９ａに付着したインクＩは直接に、または、ワイパブレード４１を介して、記録ヘッド３９の側面３９ｂに形成されている凹部５１の毛細管作用によって、記録ヘッド３９の側面３９ｂに導入、保持される。
【００５８】
従って、ノズル形成面３９ａやワイパブレード４１に付着したインクが装置内に垂れるのが抑制される。また、凸部５０と、凹部５１とは、記録ヘッド３９の側面３９ａにノズル形成面３９ａから離間する方向に延びるように形成されているので、記録ヘッド３９ａに凸部５０と凹部５１とを形成したとしても、記録ヘッド３９の幅（主走査方向の幅および副走査方向の幅）が増大するのが抑制される。その結果、記録ヘッド３９の幅を極力増大させることなく、ノズル形成面３９ａやワイパブレード４１に付着したインクが装置内に垂れるのを抑制することができる。
【００５９】
次に、図７および図８を参照して、第２実施形態における記録ヘッド３９について詳細に説明する。図７は、第２実施形態の記録ヘッド３９をノズル形成面３９ａ側から見た斜視図である。図８は、図７に示す矢印Ａ視方向から見た第２実施形態の記録ヘッド３９とワイパブレード４１とを示す側面図である。尚、この第２実施形態の記録ヘッド３９については、上述した第１実施形態と同一の構成については、同一の符合を付し、その説明は省略する。
【００６０】
第２実施形態の記録ヘッド３９の側面３９ｂには、ノズル形成面３９ａと交差する交差部３９ｃからノズル形成面３９ａとは離間する方向（ノズル形成面３９ａと略直交する方向）に延び、互いに所定間隔Ｄ２を空けて並列に並ぶ複数の凸部５２と、隣合う凸部５２に挟まれて形成される凹部５３とが形成されている。
【００６１】
よって、図６に示すように、ワイパブレード４１をノズル形成面３９ａに当接させ、ワイプ処理を実行すると、ノズル形成面３９ａに付着したインクＩは直接に、または、ワイパブレード４１を介して、記録ヘッド３９の側面３９ｂに形成されている凹部５３の毛細管作用によって、記録ヘッド３９の側面３９ｂに導入、保持される。
【００６２】
従って、ノズル形成面３９ａやワイパブレード４１に付着したインクが装置内に垂れるのが抑制される。また、凸部５２と、凹部５３とは、記録ヘッド３９の側面３９ａにノズル形成面３９ａから離間する方向に延びるように形成されているので、記録ヘッド３９ａに凸部５２と凹部５３とを形成したとしても、記録ヘッド３９の幅（主走査方向の幅および副走査方向の幅）が増大するのが抑制される。更に、この第２実施形態の記録ヘッド３９では、凸部５２と、凹部５３とが、記録ヘッド３９の側面３９ｂのうち、ノズル形成面３９ａと交差する交差部３９ｃから延びているので、第１実施形態の記録ヘッド３９よりもノズル形成面３９ａ側からインクＩが凹部５３に導入され易い。その結果、記録ヘッド３９の幅を極力増大させることなく、ノズル形成面３９ａやワイパブレード４１に付着したインクが装置内に垂れるのを一層、確実に抑制することができる。
【００６３】
次に、図９および図１０を参照して、第３実施形態における記録ヘッド３９について詳細に説明する。図９は、第３実施形態の記録ヘッド３９をノズル形成面３９ａ側から見た斜視図である。図１０は、図９に示す矢印Ａ視方向から見た第３実施形態の記録ヘッド３９とワイパブレード４１とを示す側面図である。尚、この第３実施形態の記録ヘッド３９については、上述した第１，第２実施形態と同一の構成については、同一の符合を付し、その説明は省略する。
【００６４】
第３実施形態の記録ヘッド３９の側面３９ｂには、ノズル形成面３９ａから側面３９ｂで屈曲してノズル形成面３９ａとは離間する方向に延び、互いに所定間隔を空けて並列に並ぶ複数の凸部５４と、隣り合う複数の凸部５４に挟まれて形成される凹部５５とが形成されている。
【００６５】
よって、図６に示すように、ワイパブレード４１をノズル形成面３９ａに当接させ、ワイプ処理を実行すると、ノズル形成面３９ａに付着したインクＩは直接に、または、ワイパブレード４１を介して、記録ヘッド３９の側面３９ｂに形成されている凹部５５の毛細管作用によって、記録ヘッド３９の側面３９ｂに導入、保持される。
【００６６】
従って、ノズル形成面３９ａやワイパブレード４１に付着したインクが装置内に垂れるのが抑制される。また、凸部５４と、凹部５５とは、記録ヘッド３９の側面３９ａにノズル形成面３９ａから離間する方向に延びるように形成されているので、記録ヘッド３９ａに凸部５４と凹部５５とを形成したとしても、記録ヘッド３９の幅（主走査方向の幅および副走査方向の幅）が増大するのが抑制される。更に、この第３実施形態の記録ヘッド３９では、凸部５２と、凹部５３とが、ノズル形成面３９ａから側面３９ｂで屈曲してノズル形成面３９ａとは離間する方向に延びているので、第１，第２実施形態の記録ヘッド３９よりもノズル形成面３９ａ側からインクＩが凹部５３に導入され易い。その結果、記録ヘッド３９の幅を極力増大させることなく、ノズル形成面３９ａやワイパブレード４１に付着したインクが装置内に垂れるのを一層、確実に抑制することができる。
【００６７】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００６８】
上述した実施形態では、凸部５０，５２，５４と、凹部５１，５３，５５とを記録ヘッド３９に形成する場合について説明したが、この凸部５０，５２，５４と、凹部５１，５３，５５とに代えて、記録ヘッド３９の側面３９ｂに溝、または、ノズル形成面３９ａから側面３９ｂで屈曲する溝を形成するように構成しても良い。この場合であっても、上述したのと同様な効果を奏することができる。
【００６９】
また、上述した溝または凸部５０，５２，５４と、凹部５１，５３，５５とは、記録ヘッド３９の副走査方向における上流側の側面３９ｂだけに形成されるものではなく、記録ヘッド３９の副走査方向における下流側の側面、記録ヘッド３９の主走査方向における上流、下流側の側面に形成しても良い。この場合には、溝または凸部５０，５２，５４と、凹部５１，５３，５５とに導入可能なインク量を増大させることができ、一層確実に、ノズル形成面３９ａに付着したインクを記録ヘッド３９の側面に導入することができる。
【００７０】
また、上述した実施形態では、凸部５０，５２，５４と、凹部５１，５３，５５とのノズル形成面３９ａから離間する方向の距離については、特に、言及しなかったが、ワイパブレード４１が記録ヘッド３９に対して相対的に移動する方向に沿って次第に、凸部５０，５２，５４と、凹部５１，５３，５５とのノズル形成面３９ａから離間する方向の距離が長くなるように構成しても良い。
【００７１】
このように構成することで、ワイパブレード４１でノズル形成面３９ａを払拭するにつれて記録ヘッド３９の側面に導入するインク量が増大したとしても、そのインクを確実に凹部５１，５３，５５に導入することができると共に、かかる距離を均一に構成した場合に比べて記録ヘッド３９を軽量化することができる。尚、同様に、ワイパブレード４１が記録ヘッド３９に対して相対的に移動する方向に沿って次第に、毛細管作用が発生することを条件として隣合う凸部５０，５２，５４の間隔が狭まるように構成しても良い。
【００７２】
また、凸部５０，５２，５４と、凹部５１，５３，５５とを、記録ヘッド３９の主走査方向における上流、下流側の側面に形成した場合には、かかる凹部５１，５３，５５に導入したインクを吸収するために、凹部５１，５３，５５と嵌合するような凸状の吸収体（例えば、スポンジ）を、装置内の壁面に配置するように構成しても良い。この場合には、凹部５１，５３，５５に導入されたインクが吸収体に吸収され、一層、凹部５１，５３，５５に導入させるインク量を増大させることができる。
【図面の簡単な説明】
【００７３】
【図１】本発明の一実施形態に係る複合機の外観斜視図である。
【図２】プリンタ部の主要な構成を示す斜視図である。
【図３】ワイプ機構の断面図であり、特に、（ａ）はワイパブレードがノズル形成面に当接している状態、（ｂ）はワイパブレードがノズル形成面から離間している状態を示している。
【図４】回転体を底面側から見た斜視図である。
【図５】第１実施形態の記録ヘッドをノズル形成面側から見た斜視図である。
【図６】図５に示す矢印Ａ視方向から見た第１実施形態の記録ヘッドとワイパブレードとを示す側面図である。
【図７】第２実施形態の記録ヘッドをノズル形成面側から見た斜視図である。
【図８】図７に示す矢印Ａ視方向から見た第２実施形態の記録ヘッドとワイパブレードとを示す側面図である。
【図９】第３実施形態の記録ヘッドをノズル形成面側から見た斜視図である。
【図１０】図９に示す矢印Ａ視方向から見た第３実施形態の記録ヘッドとワイパブレードとを示す側面図である。
【符号の説明】
【００７４】
１０                複合機（インクジェット記録装置）
３９                記録ヘッド
４１                ワイパブレード
５０，５２，５４    凸部
５１，５３，５５    凹部
【図１】
0005029261.tif 000002
【図２】
0005029261.tif 000003
【図３】
0005029261.tif 000004
【図４】
0005029261.tif 000005
【図５】
0005029261.tif 000006
【図６】
0005029261.tif 000007
【図７】
0005029261.tif 000008
【図８】
0005029261.tif 000009
【図９】
0005029261.tif 000010
【図１０】
0005029261.tif 000011